(57)【特許請求の範囲】
【請求項１】
第２端末機とブルートゥースとを通じて通信するモーションセンサを搭載した第１端末機のブルートゥース通信方法において、
ブルートゥース待ち受けモードに設定するステップと、
データを送信するステップと、
を含み、
前記データを送信するステップは、
前記ブルートゥース待ち受けモードの状態で、前記第１端末機の動きが前記モーションセンサにより検知されると、前記第２端末機とペアリング（Ｐａｉｒｉｎｇ）されている状態か否かを検知するステップと、
ペアリングされている状態でない場合、前記第２端末機とペアリングを行うステップと、
前記第２端末機とペアリングを行った後に、前記第２端末機に前記ブルートゥース通信を用いてデータを送信するステップと、
を含み、
前記ペアリングを行うステップは、
ブルートゥースアドレスを音声信号で出力するステップと、
前記ブルートゥースアドレスに基づいて前記第２端末機からブルートゥース接続要求音声信号が受信されると、前記第２端末機とペアリングを行うステップと、
を含み、かつ、
前記ブルートゥース待ち受けモードは、
音声出力機能と、音声入力機能と、前記モーションセンサ及びブルートゥース通信部が活性化しているモードであるブルートゥース通信方法。
【請求項２】
前記音声信号は、
ＤＴＭＦ（Ｄｕａｌ−Ｔｏｎｅ  Ｍｕｌｔｉ  Ｆｒｅｑｕｅｎｃｙ）音声信号であることを特徴とする請求項１に記載のブルートゥース通信方法。
【請求項３】
前記第２端末機は、
ブルートゥース待ち受けモードに設定された端末機であることを特徴とする請求項１に記載のブルートゥース通信方法。
【請求項４】
第２端末機とブルートゥースとを通じて通信するモーションセンサを搭載した第1端末機において、
前記第２端末機とブルートゥース通信を通じてデータを送受信するブルートゥース通信部と、
音声出力部と音声入力部と、
現在モードをブルートゥース待ち受けモードに設定し、前記ブルートゥース待ち受けモードの状態で前記第1端末機の動きが前記モーションセンサにより検知されると、前記第２端末機に前記ブルートゥース通信を用いてデータを送信するように前記ブルートゥース通信部を制御する制御部と、
を含み、
前記制御部は、
前記ブルートゥース待ち受けモードの状態で前記モーションセンサを通じて前記第1端末機の動きが前記モーションセンサにより検知されると、前記第２端末機とペアリング（Ｐａｉｒｉｎｇ）されている状態でない場合、前記第２端末機とペアリングを行い、前記第２端末機とペアリングが行われた後に、前記第２端末機に前記ブルートゥース通信を用いてデータを送信し、
前記ペアリングを行うに際して、
ブルートゥースアドレスを音声信号で出力し、前記ブルートゥースアドレスに基づいて前記第２端末機からブルートゥース接続要求音声信号が受信されると、前記第２端末機とペアリングを行い、
前記ブルートゥース待ち受けモードは、音声出力部と、音声入力部と、前記モーションセンサ及びブルートゥース通信部が活性化しているモードである第１端末機。
【請求項５】
前記音声信号は、
ＤＴＭＦ（Ｄｕａｌ−Ｔｏｎｅ  Ｍｕｌｔｉ  Ｆｒｅｑｕｅｎｃｙ）音声信号であることを特徴とする請求項４に記載の第１端末機。
【請求項６】
前記第２端末機は、
ブルートゥース待ち受けモードに設定された端末機であることを特徴とする請求項４に記載の第１端末機。
【請求項７】
前記ブルートゥース待ち受けモードは、
音声出力部と、音声入力部と、モーションセンサ及びブルートゥース通信部が活性化しているモードであることを特徴とする請求項４に記載の第１端末機。
【請求項８】
モーションセンサを搭載した第１端末機と第２端末機とがブルートゥースと通じて通信するブルートゥースシステムのブルートゥース通信方法において、
第１端末機をブルートゥース待ち受けモードに設定するステップと、
第２端末機をブルートゥース待ち受けモードに設定するステップと、
前記ブルートゥース待ち受けモードの状態で前記第１端末機の動きが前記モーションセンサにより検知されると、前記第１端末機が前記第２端末機に前記ブルートゥース通信を用いてデータを送信するステップと、
を含み、
前記データを送信するステップは、
前記ブルートゥース待ち受けモードの状態で前記第１端末機の動きがモーションセンサにより検知されると、前記第１端末機が前記第２端末機とペアリング（Ｐａｉｒｉｎｇ）されている状態か否かを検知するステップと、
ペアリングされている状態でない場合、前記第１端末機が前記第２端末機とペアリングを行うステップと、
前記第２端末機とペアリングを行った後に、前記第１端末機が前記第２端末機に前記ブルートゥース通信を用いてデータを送信するステップとを含み、
前記ペアリングを行うステップは、
ブルートゥースアドレスを音声信号に変換して出力するステップと、
前記ブルートゥースアドレスに基づいて前記第２端末機からブルートゥース接続要求音声信号が受信されると、前記第２端末機とペアリングを行うステップと、
を含み、かつ、
前記ブルートゥース待ち受けモードは、音声出力機能と、音声入力機能と、前記モーションセンサ及びブルートゥース通信機能が活性化しているモードであるブルートゥース通信方法。
【請求項９】
第２端末機とブルートゥースとを通じて通信するモーションセンサを搭載した第１端末機のブルートゥース通信方法において、
ブルートゥース待ち受けモードに設定するステップと、
前記ブルートゥース待ち受けモードの状態で前記第１端末機の動きが前記モーションセンサにより検知されると、音声信号を用いて前記第２端末機をブルートゥース通信相手の端末機に選択するステップと、
前記選択された第２端末機とブルートゥースペアリングを行うステップと、
前記第２端末機に前記ブルートゥース通信を用いてデータを送信するステップと、
前記第２端末機とペアリングを行った後に、前記第２端末機に前記ブルートゥース通信を用いてデータを送信するステップと、
を含み、
前記ペアリングを行うステップは、
ブルートゥースアドレスを音声信号で出力するステップと、
前記ブルートゥースアドレスに基づいて前記第２端末機からブルートゥース接続要求音声信号が受信されると、前記第２端末機とペアリングを行うステップと、
を含み、かつ、
前記ブルートゥース待ち受けモードは、音声出力機能と、音声入力機能と、前記モーションセンサ及びブルートゥース通信機能が活性化しているモードであるブルートゥース通信方法。
【請求項１０】
前記選択するステップは、
前記ブルートゥース待ち受けモードの状態で前記第１端末機の動きがモーションセンサにより検知されると、音声信号を発信するステップと、
前記音声信号の発信時間を保存するステップと、
前記第２端末機から前記音声信号に対する受信時間を受信するステップと、
前記音声信号の発信時間と前記第２端末機から受信された受信時間とが一致すると、前記第２端末機をブルートゥース通信相手の端末機に選択するステップと、
を含むことを特徴とする請求項９に記載のブルートゥース通信方法。
【請求項１１】
前記選択ステップは、
前記ブルートゥース待ち受けモードの状態で前記第１端末機の動きがモーションセンサにより検知されると、音声信号を発信するステップと、
前記音声信号に対する情報である第１情報を保存するステップと、
前記第２端末機が受信した音声信号に対する情報である第２情報を前記第２端末機から受信するステップと、
前記音声信号の第１情報と前記第２端末機から受信された第２情報とが一致すると、前記第２端末機をブルートゥース通信相手の端末機に選択するステップと、
を含むことを特徴とする請求項１０に記載のブルートゥース通信方法。
【請求項１２】
第２端末機とブルートゥースとを通じて通信するモーションセンサを搭載した第１端末機において、
第２端末機とブルートゥース通信を通じてデータを送受信するブルートゥース通信部と、
音声出力部と音声入力部と、
現在モードをブルートゥース待ち受けモードに設定し、前記ブルートゥース待ち受けモードの状態で前記第１端末機の動きが前記モーションセンサにより検知されると、音声信号を用いて前記第２端末機をブルートゥース通信相手の端末機に選択し、前記選択された第２端末機とブルートゥースペアリングが行われ、前記第２端末機に前記ブルートゥース通信を用いてデータが送信されるように制御する制御部と、
を含み、
前記制御部は、
前記ペアリングを行うに際して、
ブルートゥースアドレスを音声信号で出力し、前記ブルートゥースアドレスに基づいて前記第２端末機からブルートゥース接続要求音声信号が受信されると、前記第２端末機とペアリングを行い、
前記ブルートゥース待ち受けモードは、音声出力部と、音声入力部と、前記モーションセンサ及びブルートゥース通信部が活性化しているモードである第１端末機。
【請求項１３】
前記制御部は、
前記音声信号の発信時間が保存されるように制御し、前記第２端末機から前記音声信号に対する受信信号を受信し、前記音声信号の発信時間と前記第２端末機から受信された受信信号とが一致すると、前記第２端末機をブルートゥース通信相手の端末機に選択することを特徴とする請求項１２に記載の第１端末機。
【請求項１４】
前記制御部は、
前記音声信号に対する情報である第１情報が保存されるように制御し、前記第２端末機が受信された音声信号に対する情報である第２情報を前記第２端末機から受信し、前記音声信号の第１情報と前記第２端末機から受信された第２情報とが一致すると、前記第２端末機をブルートゥース通信相手の端末機に選択することを特徴とする請求項１２に記載の第１端末機。
【請求項１５】
請求項１から３および請求項８から１１のいずれか１項に記載の通信方法の実行に際して第１端末機とブルートゥースとを通じて通信する第２端末機のブルートゥース通信方法において、
ブルートゥース待ち受けモードに設定するステップと、
前記第１端末機から音声信号が受信されると、前記受信された音声信号を用いて前記第１端末機とブルートゥースペアリングを行うステップと、
前記ブルートゥース通信を用いて前記第１端末機からファイルを受信するステップと、
を含むブルートゥース通信方法。
【請求項１６】
前記ペアリングを実行するステップは、
前記第１端末機から音声信号が受信されると、前記音声信号の受信時間を保存するステップと、
前記保存された受信時間を前記第１端末機に転送するステップと、
前記受信時間に応じて、前記第１端末機とブルートゥースペアリングを行うステップと、
を含むことを特徴とする請求項１５に記載のブルートゥース通信方法。
【請求項１７】
前記ペアリングを実行するステップは、
前記第１端末機から音声信号が受信されると、前記音声信号の情報を分析し、前記分析された音声信号の情報を保存するステップと、
前記保存された音声信号の情報を前記第１端末機に転送するステップと、
前記音声信号に情報に応じて、前記第１端末機とブルートゥースペアリングを行うステップと、
を含むことを特徴とする請求項１５に記載のブルートゥース通信方法。
【請求項１８】
請求項４から７および請求項１２から１４のいずれか１項に記載の第１端末機と、ブルートゥースとを通じて通信する第２端末機において、
第１端末機とブルートゥース通信を通じてデータを送受信するブルートゥース通信部と、
前記第１端末機から音声信号が受信されると、前記受信された音声信号を用いて前記第１端末機とブルートゥースペアリングを行い、前記ブルートゥース通信を用いて前記第１端末機からファイルが受信されるように制御する制御部と、
を含む第２端末機。
【請求項１９】
音声信号を受信する音声入力部を更に含み、
前記制御部は、
前記第１端末機から音声信号が受信されると、前記音声信号の受信時間が保存されるように制御し、前記保存された受信時間を前記第１端末機に転送し、前記受信時間に応じて、前記第１端末機とブルートゥースペアリングが行われるように制御することを特徴とする請求項１８に記載の第２端末機。
【請求項２０】
音声信号を受信する音声入力部を更に含み、
前記制御部は、
前記第１端末機から音声信号が受信されると、前記音声信号の情報を分析し、前記分析された音声信号の情報が保存されるように制御し、前記保存された音声信号の情報が前記第１端末機に転送されるように制御し、前記音声信号の情報に応じて、前記第１端末機とブルートゥースペアリングを行うことを特徴とする請求項１８に記載の第２端末機。
【発明の詳細な説明】
【技術分野】
【０００１】
本発明は、ブルートゥース通信方法及びそれを適用した端末機に関し、より詳細には、ブルートゥース通信を用いてマルチメディアファイルを送受信するブルートゥース通信方法及びそれを適用した端末機に関する。
【背景技術】
【０００２】
ブルートゥースは、携帯用のデバイス間でデータを転送する無線通信技術を意味する。ブルートゥースは、安い価格に低電力（１００ｍＷ）で使用することができ、周波数帯域を分けて使用するため、データ転送をいくつかの周波数に跨ってできるというメリットがある。それにより、ブルートゥースは携帯用のデバイス間の無線通信のために脚光を浴びる技術として使用されている。
【０００３】
しかし、ブルートゥースが適用された機器は、ブルートゥース通信を設定する段階が複雑である。そのため、ブルートゥース機器はブルートゥース接続のために周辺機器を検索して接続する過程でエラーが頻発しており、多くの時間が費やされることになる。なお、ブルートゥース機器が別のブルートゥース機器の検索に成功するとしても、セキュリティ保持のために暗証番号を互いに入力する段階が含まれることがあったり、ブルートゥースペアリングが行われた後に転送されるファイルを検索するためのＵＩも複雑であったりという問題がある。
【０００４】
ユーザはより簡単かつ便利な方法でのブルートゥース通信の利用を求めている。それにより、より簡単かつ直観的な方法で、ブルートゥース通信を利用してデータを送受信するための方策への模索が求められる。
【発明の概要】
【発明が解決しようとする課題】
【０００５】
そこで、本発明は、上記問題に鑑みてなされたものであり、本発明の目的とするところは、ブルートゥース待ち受けモードの状態で動きが検知されると、外部の端末機にブルートゥース通信を用いてデータを送信するブルートゥース通信方法及びそれを適用した端末機を提供することにある。
【課題を解決するための手段】
【０００６】
前記目的を達成するための本発明の一実施形態に係る第２端末機とブルートゥースとを通じて通信する第１端末機のブルートゥース通信方法は、ブルートゥース待ち受けモードに設定するステップと、前記ブルートゥース待ち受けモードの状態で動きが検知されると、前記第２端末機に前記ブルートゥース通信を用いてデータを送信するステップとを含む。
【０００７】
なお、前記データ送信ステップは、前記ブルートゥース待ち受けモードの状態で動きが検知されると、前記第２端末機とペアリング（Ｐａｉｒｉｎｇ）されている状態か否かを検知するステップと、ペアリングされている状態でない場合、前記第２端末機とペアリングを行うステップと、前記第２端末機とペアリングを行った後に、前記第２端末機に前記ブルートゥース通信を用いてデータを送信するステップとを含んでよい。
【０００８】
そして、前記ペアリング実行ステップは、ブルートゥースアドレスを音声信号で出力するステップと、前記第２端末機からブルートゥース接続要求音声信号が受信されると、前記第２端末機とペアリングを行うステップとを含んでよい。
【０００９】
なお、前記音声信号は、ＤＴＭＦ（Ｄｕａｌ−Ｔｏｎｅ  Ｍｕｌｔｉ  Ｆｒｅｑｕｅｎｃｙ）音声信号であってよい。
【００１０】
そして、前記第２端末機は、ブルートゥース待ち受けモードに設定された端末機であってよい。
【００１１】
なお、前記ブルートゥース待ち受けモードは、音声出力部と、音声入力部と、モーションセンサ及びブルートゥース通信部が活性化しているモードであってよい。
【００１２】
一方、本発明の一実施形態に係る第２端末機とブルートゥースとを通じて通信する端末機は、前記第２端末機とブルートゥース通信を通じてデータを送受信するブルートゥース通信部と、現在モードをブルートゥース待ち受けモードに設定し、前記ブルートゥース待ち受けモードの状態で動きが検知されると、前記第２端末機に前記ブルートゥース通信を用いてデータを送信するように前記ブルートゥース通信部を制御する制御部とを含む。
【００１３】
そして、前記端末機の動きを検知するモーションセンサを更に含み、前記制御部は、前記ブルートゥース待ち受けモードの状態で前記モーションセンサを通じて動きが検知されると、前記第２端末機とペアリング（Ｐａｉｒｉｎｇ）されている状態でない場合、前記第２端末機とペアリングを行い、前記第２端末機とペアリングが行われた後に、前記第２端末機に前記ブルートゥース通信を用いてデータを送信してよい。
【００１４】
なお、音声を出力する音声出力部を更に含み、前記制御部は、前記端末機のブルートゥースアドレスを音声信号に変換して前記音声出力部を介して出力し、前記第２端末機からブルートゥース接続要求音声信号が受信されると、前記第２端末機とペアリングを行ってよい。
【００１５】
そして、前記音声信号は、ＤＴＭＦ（Ｄｕａｌ−Ｔｏｎｅ  Ｍｕｌｔｉ  Ｆｒｅｑｕｅｎｃｙ）音声信号であってよい。
【００１６】
なお、前記第２端末機は、ブルートゥース待ち受けモードに設定された端末機であってよい。
【００１７】
そして、前記ブルートゥース待ち受けモードは、音声出力部と、音声入力部と、モーションセンサ及びブルートゥース通信部が活性化しているモードであってよい。
【００１８】
一方、本発明の一実施形態に係る第１端末機と第２端末機とがブルートゥースと通じて通信するブルートゥースシステムのブルートゥース通信方法は、第１端末機をブルートゥース待ち受けモードに設定するステップと、第２端末機をブルートゥース待ち受けモードに設定するステップと、前記ブルートゥース待ち受けモードの状態で前記第１端末機の動きが検知されると、前記第１端末機が前記第２端末機に前記ブルートゥース通信を用いてデータを送信するステップとを含んでよい。
【００１９】
そして、前記データ送信ステップは、前記ブルートゥース待ち受けモードの状態で前記第１端末機の動きが検知されると、前記第１端末機が前記第２端末機とペアリング（Ｐａｉｒｉｎｇ）されている状態か否かを検知するステップと、ペアリングされている状態でない場合、前記第１端末機が前記第２端末機とペアリングを行うステップと、前記第２端末機とペアリングを行った後に、前記第１端末機が前記第２端末機に前記ブルートゥース通信を用いてデータを送信するステップとを含む。
【００２０】
一方、本発明の一実施形態に係る第２端末機とブルートゥースとを通じて通信する第１端末機のブルートゥース通信方法は、ブルートゥース待ち受けモードに設定するステップと、前記ブルートゥース待ち受けモードの状態で動きが検知されると、前記第２端末機から前記ブルートゥース通信を通じてデータを受信するステップとを含む。
【００２１】
一方、本発明の一実施形態に係る第２端末機とブルートゥースとを通じて通信する第１端末機のブルートゥース通信方法は、ブルートゥース待ち受けモードに設定するステップと、前記ブルートゥース待ち受けモードの状態で動きが検知されると、音声信号を用いて前記第２端末機をブルートゥース通信相手の端末機に選択するステップと、前記選択された第２端末機とブルートゥースペアリングを行うステップと、前記第２端末機に前記ブルートゥース通信を用いてデータを送信するステップとを含む。
【００２２】
そして、前記選択ステップは、前記ブルートゥース待ち受けモードの状態で動きが検知されると、音声信号を発信するステップと、前記音声信号の発信時間を保存するステップと、前記第２端末機から前記音声信号に対する受信時間を受信するステップと、前記音声信号の発信時間と前記第２端末機から受信された受信時間とが一致すると、前記第２端末機をブルートゥース通信相手の端末機に選択するステップとを含んでよい。
【００２３】
なお、前記選択ステップは、前記ブルートゥース待ち受けモードの状態で動きが検知されると、音声信号を発信するステップと、前記音声信号に対する情報である第１情報を保存するステップと、前記第２端末機が受信した音声信号に対する情報である第２情報を前記第２端末機から受信するステップと、前記音声信号の第１情報と前記第２端末機から受信された第２情報とが一致すると、前記第２端末機をブルートゥース通信相手の端末機に選択するステップとを含んでよい。
【００２４】
一方、本発明の一実施形態に係る第２端末機とブルートゥースとを通じて通信する第１端末機は、第２端末機とブルートゥース通信を通じてデータを送受信するブルートゥース通信部と、現在モードをブルートゥース待ち受けモードに設定し、前記ブルートゥース待ち受けモードの状態で動きが検知されると、音声信号を用いて前記第２端末機をブルートゥース通信相手の端末機に選択し、前記選択された第２端末機とブルートゥースペアリングが行われ、前記第２端末機に前記ブルートゥース通信を用いてデータが送信されるように制御する制御部とを含む。
【００２５】
そして、前記ブルートゥース待ち受けモードの状態で動きが検知されると、音声信号を発信する音声出力部を更に含み、前記制御部は、前記音声信号の発信時間が保存されるように制御し、前記第２端末機から前記音声信号に対する受信信号を受信し、前記音声信号の発信時間と前記第２端末機から受信された受信信号とが一致すると、前記第２端末機をブルートゥース通信相手の端末機に選択してよい。
【００２６】
なお、前記ブルートゥース待ち受けモードの状態で動きが検知されると、音声信号を発信する音声出力部を更に含み、前記制御部は、前記音声信号に対する情報である第１情報が保存されるように制御し、前記第２端末機が受信された音声信号に対する情報である第２情報を前記第２端末機から受信し、前記音声信号の第１情報と前記第２端末機から受信された第２情報とが一致すると、前記第２端末機をブルートゥース通信相手の端末機に選択してよい。
【００２７】
一方、本発明の一実施形態に係る第１端末機とブルートゥースとを通じて通信する第２端末機のブルートゥース通信方法は、ブルートゥース待ち受けモードに設定するステップと、前記第１端末機から音声信号が受信されると、前記受信された音声信号を用いて前記第１端末機とブルートゥースペアリングを行うステップと、前記ブルートゥース通信を用いて前記第１端末機からファイルを受信するステップとを含む。
【００２８】
なお、前記ペアリング実行ステップは、前記第１端末機から音声信号が受信されると、前記音声信号の受信時間を保存するステップと、前記保存された受信時間を前記第１端末機に転送するステップと、前記受信時間に応じて、前記第１端末機とブルートゥースペアリングを行うステップとを含んでよい。
【００２９】
そして、前記ペアリング実行ステップは、前記第１端末機から音声信号が受信されると、前記音声信号の情報を分析し、前記分析された音声信号の情報を保存するステップと、前記保存された音声信号の情報を前記第１端末機に転送するステップと、前記音声信号に情報に応じて、前記第１端末機とブルートゥースペアリングを行うステップとを含んでよい。
【００３０】
一方、本発明の一実施形態に係る第１端末機とブルートゥースとを通じて通信する第２端末機は、第１端末機とブルートゥース通信を通じてデータを送受信するブルートゥース通信部と、前記第１端末機から音声信号が受信されると、前記受信された音声信号を用いて前記第１端末機とブルートゥースペアリングを行い、前記ブルートゥース通信を用いて前記第１端末機からファイルが受信されるように制御する制御部とを含んでよい。
【００３１】
そして、音声信号を受信する音声入力部を更に含み、前記制御部は、前記第１端末機から音声信号が受信されると、前記音声信号の受信時間が保存されるように制御し、前記保存された受信時間を前記第１端末機に転送し、前記受信時間に応じて、前記第１端末機とブルートゥースペアリングを行ってよい。
【００３２】
なお、音声信号を受信する音声入力部を更に含み、前記制御部は、前記第１端末機から音声信号が受信されると、前記音声信号の情報を分析し、前記分析された音声信号の情報が保存されるように制御し、前記保存された音声信号の情報が前記第１端末機に転送されるように制御し、前記音声信号の情報に応じて、前記第１端末機とブルートゥースペアリングを行ってよい。
【発明の効果】
【００３３】
本発明の多様な実施形態によると、ブルートゥース待ち受けモードの状態で動きが検知されると、外部端末機にブルートゥース通信を用いてデータを送信するブルートゥース通信方法及びそれを適用した端末機を提供することができるようになる。
【図面の簡単な説明】
【００３４】
【図１】本発明の一実施形態に係るファイル転送のためのブルートゥース（Ｂｌｕｅｔｏｏｔｈ（登録商標））端末機の構造を概略的に示すブロック図である。
【図２】本発明の一実施形態に係る第１端末機と第２端末機との間でデータを送受信するためのブルートゥース通信方法を説明するために提供されるフローチャートである。
【図３】本発明の一実施形態に係る第１端末機の動きを用いてブルートゥース通信を通じてファイルを転送する過程に対する図である。
【図４】本発明の一実施形態に係る第１端末機の動きを用いてブルートゥース通信を通じてファイルを転送する過程に対する図である。
【図５】本発明の一実施形態に係る第１端末機の動きを用いてブルートゥース通信を通じてファイルを転送する過程に対する図である。
【図６】本発明の一実施形態に係る第１端末機の動きを用いてブルートゥース通信を通じてファイルを転送する過程に対する図である。
【図７】本発明の一実施形態に係る第１端末機の動きを用いてブルートゥース通信を通じてファイルを転送する過程に対する図である。
【図８】第１端末機と第２端末機とが予めペアリングされている状態である場合のブルートゥース通信過程を示す図である。
【図９】第１端末機と第２端末機とが予めペアリングされている状態である場合のブルートゥース通信過程を示す図である。
【図１０】第１端末機と第２端末機とが予めペアリングされている状態である場合のブルートゥース通信過程を示す図である。
【図１１】本発明の一実施形態に係る第１端末機のブルートゥース通信方法について説明するために提供されるフローチャートである。
【図１２】本発明の一実施形態に係る第２端末機が第３端末機とペアリングされている状態である場合について示す図である。
【図１３】本発明の一実施形態に係る第２端末機が第３端末機とペアリングされている状態である場合について示す図である。
【図１４】本発明の一実施形態に係るブルートゥース待ち受けモードの実行方法を示す図である。
【図１５】本発明の一実施形態に係るファイル転送実行のための動きに関して示す図である。
【図１６】本発明の一実施形態に係るファイル転送実行のための動きに関して示す図である。
【図１７】本発明の一実施形態に係るファイル転送実行のための動きに関して示す図である。
【図１８】第２端末機から受信されたイメージファイルが「今すぐ見る」機能によって実行される過程に対する図である。
【図１９】第２端末機から受信されたイメージファイルが「今すぐ見る」機能によって実行される過程に対する図である。
【図２０】本発明の一実施形態に係る「今すぐ見る」機能の実行確認メッセージが画面に表示される過程を示す図である。
【図２１】本発明の一実施形態に係る「今すぐ見る」機能の実行確認メッセージが画面に表示される過程を示す図である。
【図２２】本発明の一実施形態に係る「今すぐ見る」機能の実行確認メッセージが画面に表示される過程を示す図である。
【図２３】本発明の一実施形態に係る音声信号の発信時間及び受信時間を用いてブルートゥースペアリングを行うブルートゥース通信方法を説明するために提供されるフローチャートである。
【図２４】本発明の一実施形態に係る音声信号の情報を用いてブルートゥースペアリングを行うブルートゥース通信方法を説明するために提供されるフローチャートである。
【図２５】本発明の一実施形態に係る音声信号を用いてブルートゥースペアリング及びファイル転送が行われる過程を示す簡略図である。
【図２６】本発明の一実施形態に係る音声信号を用いてブルートゥースペアリング及びファイル転送が行われる過程を示す簡略図である。
【図２７】本発明の一実施形態に係る音声信号を用いてブルートゥースペアリング及びファイル転送が行われる過程を示す簡略図である。
【図２８】本発明の一実施形態に係る音声信号を用いてブルートゥースペアリングが行われる過程を示す図である。
【図２９】本発明の一実施形態に係る音声信号を用いてブルートゥースペアリングが行われる過程を示す図である。
【図３０】本発明の一実施形態に係る音声信号を用いてブルートゥースペアリングが行われる過程を示す図である。
【図３１】本発明の一実施形態に係る音声信号を用いてブルートゥースペアリングが行われる過程を示す図である。
【図３２】本発明の一実施形態に係る音声信号を用いてブルートゥースペアリング及びファイル転送が行われる過程を示す図である。
【図３３】本発明の一実施形態に係る音声信号を用いてブルートゥースペアリング及びファイル転送が行われる過程を示す図である。
【図３４】本発明の一実施形態に係る音声信号を用いてブルートゥースペアリング及びファイル転送が行われる過程を示す図である。
【図３５】本発明の一実施形態に係る音声信号を用いてブルートゥースペアリング及びファイル転送が行われる過程を示す図である。
【図３６】本発明の一実施形態に係る音声信号を用いてブルートゥースペアリング及びファイル転送が行われる過程を示す図である。
【図３７】本発明の一実施形態に係る音声信号を用いてブルートゥースペアリング及びファイル転送が行われる過程を示す図である。
【発明を実施するための形態】
【００３５】
以下に添付図面を参照しながら、本発明の好適な実施形態について詳細に説明する。
【００３６】
図１は、本発明の一実施形態に係るファイル転送のためのブルートゥース（Ｂｌｕｅｔｏｏｔｈ（登録商標））端末機の構造を概略的に示すブロック図である。そして、本実施形態の説明において、データを送信する端末機を第１端末機１００と称し、データを受信する端末機を第２端末機と称する。
【００３７】
図１に示すように、第１端末機１００は、ブルートゥース通信部１１０と、オーディオ処理部１２０と、音声入力部１２３と、音声出力部１２５と、ディスプレイ部１３０と、保存部１４０と、モーションセンサ１５０と、キー入力部１６０及び制御部１７０を含む。
【００３８】
ブルートゥース通信部１１０は、近距離無線通信が可能な端末機同士のパーソナルエリアネットワーク（ＰＡＮ:Ｐｅｒｓｏｎａｌ  Ａｒｅａ  Ｎｅｔｗｏｒｋ）のための通信方式に該当し、近距離において通信チャネルを形成して信号を送受信できる無線通信モジュールである。
【００３９】
ブルートゥース通信方式は、２.４ＧＨｚ帯域のＩＳＭ（Ｉｎｄｕｓｔｒｉａｌ  Ｓｃｉｅｎｔｉｆｉｃ  Ｍｅｄｉｃａｌ）バンドを用いて通信を行う。ＩＳＭバンドは、別途のライセンスなしに自由に使用可能であるという特徴を有している。そして、ブルートゥース通信方式は、ＩＳＭバンドの下に２ＭＨｚ帯域と、ＩＳＭバンドの上に３.５ＭＨｚ帯域のガードバンド（Ｇｕａｒｄ  Ｂａｎｄ）を置き、別の装置との干渉を防止する。ブルートゥース通信方式は、基本的に周波数ホッピング（Ｆｒｅｑｕｅｎｃｙ  Ｈｏｐｐｉｎｇ）方式を用いて１秒当たり１６００回ホッピングする。
【００４０】
ブルートゥース通信部１１０は、近距離無線通信が可能な端末機との無線インターフェースを通じてのデータの送受信のための一連の動作を行う。具体的に、ブルートゥース通信部１１０では近距離無線通信が可能な端末機から転送されるマルチメディアデータを受信し、その受信されたマルチメディアデータを制御部１７０に伝達する。
【００４１】
オーディオ処理部１２０は、制御部１７０で変換されたＤＴＭＦ（Ｄｕａｌ  Ｔｏｎｅ  Ｍｕｌｔｉ  Ｆｒｅｑｕｅｎｃｙ）信号を処理して音声出力部１２５に出力する。ここで、「ＤＴＭＦ信号」は、端末機のブルートゥースデバイスアドレス（Ｂｌｕｅｔｏｏｔｈ（登録商標）  Ｄｅｖｉｃｅ  Ａｄｄｒｅｓｓ、以下、「ＢＤアドレス」又は「ブルートゥース端末機アドレス」という）をＤＴＭＦに変換することを意味する。ＤＴＭＦは、音声信号の種類として、数字を音声信号に変換して入力する通信方式を意味する。
【００４２】
例えば、「１２７；０；０；７」のＢＤアドレスを「１２７＊０＊０＊７」のＤＴＭＦに変換し、変換したＤＴＭＦに開始を示す区切り文字（Ｄｅｌｉｍｉｔｅｒ）「＃」を挿入し、ＤＴＭＦ信号（例えば、「＃１２７＊０＊０＊７」）を生成する。ＤＴＭＦの開始を示す区切り文字「＃」が挿入される理由は、第１端末機１００がＤＴＭＦ信号を第２端末機２００に繰り返し転送する場合、ＤＴＭＦ信号の開始を第２端末機２００が認識できるようにするためである。
【００４３】
音声入力部１２３は、外部から音声信号又はＤＴＭＦ信号が入力され、オーディオ処理部１２０に転送する。具体的に、音声入力部１２３は、ブルートゥースペアリング要求ＤＴＭＦ信号を第２端末機２００から受信する。音声入力部１２３は、マイクで実現可能である。
【００４４】
音声出力部１２５は、オーディオ処理部１２０で処理されたＤＴＭＦ信号を出力する。音声出力部１２５は、スピーカで実現可能である。
【００４５】
ディスプレイ部１３０は、第１端末機１００の状態及び動作に関する各種情報を視覚的に表示する。なお、ディスプレイ部１３０は、ブルートゥースを通じて送信されるマルチメディアファイルを画面に表示する。ここで、マルチメディアファイルは、テキストファイルや、イメージファイルや、動画ファイルや、音楽ファイルなどをすべて包括する。ディスプレイ部１３０は、保存部１４０に保存されて選択されたファイルを表示する。
【００４６】
保存部１４０は、第１端末機１００の動作に必要なプログラム及び情報を保存する。なお、保存部１４０は、多様なマルチメディアファイルを保存する。
【００４７】
モーションセンサ１５０は、第１端末機１００の動きを検知する。モーションセンサ１５０は、加速度センサ又は地磁気センサが使用されてよい。加速度センサは、振動などによるユーザの動作を検知する。加速度センサは、動的加速度の測定だけでなく重力に対する静的加速度の検出も可能である。静的加速度は、加速度センサの軸を地面と水平になるように位置させた際、即ち、重力が及ぶ方向に対して垂直に位置させた際を基準とし、軸が地面からどれくらい傾いているかを数値で検出する。加速度センサの勾配は、停止状態で地面に向かって作用する各軸の重力加速度値をサイン（Ｓｉｎｅ）演算して得られる。
【００４８】
地磁気センサは、検知された動作による地磁気信号を検出する。ここで、地磁気は地球が有している磁場を意味するものとして、不変のものではなく、周期的又は不規則的に変化する。地球上の或る地点の地球磁界を決定するためには、３つの独立した成分が必要であり、それは、水平分力と、方位角及び伏角である。ここで、地球磁界を決定するために、ｘ軸センサとｙ軸センサとｚ軸ンサを用いる。ｘ軸センサとｙ軸センサとは、端末機の左、右、前、後方向を検知し、ｚ軸センサは端末機の上、下方向を検知する。
【００４９】
このように、モーションセンサ１５０は、第１端末機１００の動きがあるか否かを検知し、動きが検知された場合、検知された動き情報を制御部１７０に転送する。ここで、動きは第１端末機１００の傾ける、振る、叩くなどの動きを含む。
【００５０】
キー入力部１６０は、キーパッド（Ｋｅｙ  Ｐａｄ）、タッチスクリーン（Ｔｏｕｃｈ  Ｓｃｒｅｅｎ）又はタッチパッド（Ｔｏｕｃｈ  Ｐａｄ）で構成されてよい。キー入力部１６０は、第１端末機１００の動作を制御するためにユーザから入力された入力信号を制御部１７０に転送する。具体的に、キー入力部１６０は、第１端末機１００をブルートゥース待ち受けモードに設定するためのユーザの命令が入力される。即ち、ユーザがキー入力部１６０の特定操作（例えば、ブルートゥースボタンを押す操作）を入力すると、キー入力部１６０は第１端末機１００をブルートゥース待ち受けモードに設定するためのユーザの命令が入力される。
【００５１】
しかし、第１端末機１００は、ユーザの操作以外の方法によってもブルートゥース待ち受けモードに設定されることができる。具体的に、第１端末機１００が待ち受けモードである状態（即ち、ディスプレイが活性化している状態として入力がない待ち受け状態）で、モーションセンサ、音声入力部及び音声出力部が活性化している状態である場合、第１端末機１００は別途のユーザの操作が入力されていなくても、ブルートゥース待ち受けモードに設定されてよい。例えば、第１端末機１００がモーションセンサ、音声入力部及び音声出力部が活性化している状態で机の上に所定時間置かれている場合、第１端末機１００はブルートゥース待ち受けモードに自動的に設定される。
【００５２】
制御部１７０は、第１端末１００の動作の全般を制御する。具体的に、制御部１７０は、キー入力部１６０を通じてのユーザの入力によって、第１端末機１００をブルートゥース待ち受けモードに設定する。
【００５３】
ここで、ブルートゥース待ち受けモードは、ブルートゥースを通じての通信を行うために待ち受け中の状態を意味する。具体的に、ブルートゥース待ち受けモードは、音声入力部１２３と、音声出力部１２５と、モーションセンサ１５０及びブルートゥース通信部１１０が活性化しているモードになる。即ち、ブルートゥース待ち受けモードの状態で、第１端末機１００は音声の入力及び出力を検知し、モーションを検知し、ブルートゥース通信を行うための状態になる。そして、ブルートゥース待ち受けモードでユーザによって特定モーションが入力されると、第１端末機１００は、ブルートゥースペアリング及びデータ転送までも行うようになる。
【００５４】
具体的に、制御部１７０は、ブルートゥース待ち受けモードの状態で動きが検知されると、第２端末機とペアリング（Ｐａｉｒｉｎｇ）されている状態であるか否かを検知する。そして、ペアリングされている状態でない場合、制御部１７０は、第２端末機２００とペアリングを行うようになる。
【００５５】
ペアリングを行う方法は多様であり、本実施形態では、ＤＴＭＦ信号を用いたペアリングを行う場合について説明する。
【００５６】
制御部１７０は、第１端末機１００のブルートゥース端末機アドレスをＤＴＭＦ信号に変換する。そして、制御部１７０は変換されたＤＴＭＦ信号が音声出力部１２５を介して出力されるように制御する。
【００５７】
第１端末機１００のブルートゥース端末機アドレスがＤＴＭＦ信号に変換されて出力されると、第１端末機１００の周辺に存在する別の端末機は、出力されたＤＴＭＦ信号に露出される。ＤＴＭＦ信号は音声信号であるため、ブルートゥース待ち受けモード（即ち、音声入力部が活性化している）の端末機が受信することができる。
【００５８】
従って、本実施形態では、第２端末機２００がブルートゥース待ち受けモードの状態にあるものとして仮定して説明を進める。即ち、第２端末機２００がブルートゥース待ち受けモードの状態で第１端末機１００からＤＴＭＦ信号が出力されると、第２端末機２００はＤＴＭＦ信号を受信するようになる。
【００５９】
そして、第２端末機２００からブルートゥース接続要求ＤＴＭＦ信号が音声入力部１２３を介して受信されると、制御部１７０は第２端末機２００とペアリングを行うようになる。
【００６０】
このように、制御部１７０はＤＴＭＦ信号を用いて第２端末機２００とブルートゥースペアリングを行うようになる。しかしながら、その他の方式でブルートゥースペアリングが行われ得ることはいうまでもない。
【００６１】
制御部１７０は、第２端末機２００とペアリングを行った後に、第２端末機２００にブルートゥース通信部１１０を用いてデータを送信する。ここで、データはマルチメディアファイルを含み、マルチメディアファイルは、テキストファイルや、イメージファイルや、動画ファイルや、音楽ファイルなどをすべて包括する。
【００６２】
このように、制御部１７０は、ブルートゥース待ち受けモードの状態で第１端末機１００に動きが検知されると、ブルートゥース待ち受けモードの状態にある第２端末機２００とペアリング実行及びマルチメディアデータ転送を一度に行うようになる。
【００６３】
即ち、制御部１７０は、ブルートゥース待ち受けモードの状態で第１端末機１００の動きが検知されると、第１端末機１００がデータを送信するブルートゥース送信端として機能するように制御するようになる。従って、ユーザはより簡単にブルートゥース通信を用いてデータを端末機間で送受信できるようになる。
【００６４】
図１に示すように、第２端末機２００は、ブルートゥース通信部２１０と、オーディオ処理部２２０と、音声出力部２２３と、音声入力部２２５と、ディスプレイ部２３０と、保存部２４０と、モーションセンサ２５０と、キー入力部２６０及び制御部２７０を含む。
【００６５】
第２端末機２００は、第１端末機１００の構成が類似しているため、重なる内容については省略する。但し、第１端末機１００はデータを送信し、第２端末機２００はデータを受信する機能を行うため、それによる機能上の違いが存在する。
【００６６】
制御部２７０は、第２端末機２００をブルートゥース待ち受けモードの状態に設定する。
【００６７】
音声入力部２２５は、第１端末機１００から出力されたブルートゥース端末機アドレスに対するＤＴＭＦ信号を受信する。そして、制御部２７０は、受信されたＤＴＭＦ信号に含まれた第１端末機１００のブルートゥース端末機アドレスを認識した後に、ブルートゥースペアリング要求ＤＴＭＦ信号を生成する。そして、制御部２７０は、生成されたブルートゥースペアリング要求ＤＴＭＦ信号を音声出力部２２３を介して出力するようになる。
【００６８】
そして、ブルートゥースペアリングが完了した後に、制御部２７０はブルートゥース通信部２１０を介して第１端末機１００からマルチメディアデータを受信する。そして、制御部２７０は、受信されたマルチメディアデータが画面に表示されるようにディスプレイ部２３０を制御する。従って、ユーザは第２端末機２００から受信されたファイルを容易に確認できるようになる。
【００６９】
このように、第１端末機１００に動きのみを入力することにより、第２端末機２００にブルートゥース通信を用いてデータを転送できるようになるため、ユーザはより容易にブルートゥース通信を用いてデータを送受信できるようになる。
【００７０】
特に、動きの検知された端末機をデータ送信端末機に設定し、動きのない端末機をデータ受信端末機に設定するため、ユーザはブルートゥースを用いたデータ送受信をより簡単に行うことができるようになる。
【００７１】
以下では、図２を参照しながら、第１端末機１００と第２端末機２００との間でデータを送受信するためのブルートゥース通信方法について説明する。図２は、本発明の一実施形態に係る第１端末機１００と第２端末機２００との間でデータを送受信するためのブルートゥース通信方法を説明するために提供されるフローチャートである。
【００７２】
第１端末機１００は、ユーザの選択によって転送対象のファイルを選択する（Ｓ２１０）。そして、ユーザの命令入力によって、第１端末機１００はブルートゥース待ち受けモードの状態に設定する（Ｓ２２０）。例えば、ユーザがブルートゥース待ち受けモードの状態の切替ボタンを押すと、第１端末機１００は待ち受けモードに状態が切り替えられる。
【００７３】
なお、第２端末機２００もユーザの命令入力によってブルートゥース待ち受けモードの状態に設定される（Ｓ２２５）。このように、第１端末機１００と第２端末機２００とは、いずれもブルートゥース待ち受けモードの状態である場合に互いにブルートゥース通信を行うようになる。
【００７４】
その後に、第１端末機１００は、動きが検知されたか否かを判断する（Ｓ２３０）。仮に、第１端末機１００で動きが検知されると（Ｓ２３０−Ｙ）、第１端末機１００は自分のブルートゥース端末機アドレスをＤＴＭＦ信号に変換して出力する（Ｓ２４０）。
【００７５】
第２端末機２００は、ＤＴＭＦ信号を受信し（Ｓ２４５）、受信されたＤＴＭＦ信号を参考にして第１端末機１００のアドレスを把握するようになる。そして、第２端末機２００は第１端末機１００のアドレスを用いてペアリング要求ＤＴＭＦ信号を生成し、出力するようになる（Ｓ２５０）。
【００７６】
すると、第１端末機１００はペアリング要求ＤＴＭＦ信号を受信するようになる（Ｓ２５５）。そして、第１端末機１００と第２端末機２００とは、互いにペアリングを行うようになる（Ｓ２６０、Ｓ２６５）。
【００７７】
その後に、第１端末機１００は転送対象のファイルを第２端末機２００にブルートゥース通信を通じて転送する（Ｓ２７０）。そして、第２端末機２００は、第１端末機１００からファイルが転送され（Ｓ２７５）、受信されたファイルを画面に表示するようになる（Ｓ２８０）。
【００７８】
このような過程を通じて、第１端末機１００は第２端末機２００にブルートゥース通信を通じてデータを転送できるようになる。特に、第１端末機１００は、ブルートゥース待ち受けモードで動きが検知されると、ブルートゥース送信端として作動するようになるため、ユーザは第１端末機１００を動かす動作だけで、第２端末機２００にファイルを転送できるようになる。
【００７９】
一方、本実施形態においては、第１端末機１００と第２端末機２００とがペアリングされていない状態にあるものとして説明したが、第１端末機１００と第２端末機２００とがペアリングされている状態の場合にも適用可能である。第１端末機１００と第２端末機２００とがペアリングされている状態で適用される場合は、図２のステップＳ２４０ないしステップＳ２６５が省略された状態でブルートゥース通信方法が適用されるようになる。
【００８０】
以下では、図３ないし図７を参照しながら、ブルートゥース通信を用いたファイル転送過程を説明する。図３ないし図７は、本発明の一実施形態に係る第１端末機１００の動きを用いてブルートゥース通信を通じてファイルを転送する過程に対する図である。
【００８１】
図３は、第１端末機１００と、第２端末機２００を含む複数の端末機が配置された状態を示す図である。図３に示すように、複数の端末機のうちの第１端末機１００と第２端末機２００はブルートゥース待ち受けモードの状態であり、その他の端末機３１０、３２０、３３０、３４０は、一般モードの状態である。
【００８２】
このように、複数の端末機の中で第１端末機１００と第２端末機２００だけがブルートゥース待ち受けモードである場合、第１端末機１００と第２端末機２００とがブルートゥースの通信相手になる。
【００８３】
従って、図４のように、第１端末機１００に動きが入力されると、第１端末機１００はブルートゥース送信端として作動され、第２端末機２００はブルートゥース受信端として作動される。
【００８４】
図５は、第１端末機１００に対する動きの種類を示している。図５に示すように、第１端末機１００は、傾ける、振る、叩く、押したまま傾ける、などの動きが入力されてよい。
【００８５】
図６に示すように、第１端末機１００に動きが入力されると、第１端末機１００は自分のブルートゥース端末機アドレスをＤＴＭＦ信号に変換して出力する。すると、第２端末機２００は、ＤＴＭＦ信号を受信して第１端末機１００のブルートゥースアドレスを確認する。そして、第２端末機２００は、ブルートゥースペアリング要求信号を第１端末機１００に出力するようになる。このような過程を経て第１端末機１００と第２端末機２００とは、ブルートゥースペアリングを行うようになる。
【００８６】
その後に、図７に示すように、第１端末機１００のファイルが第２端末機２００に転送される。
【００８７】
このように、ユーザは第１端末機１００をブルートゥース待ち受け状態に設定して動きを入力することにより、第１端末機１００から第２端末機２００にファイルを転送できるようになる。
【００８８】
以下では、図８ないし図１０を参照しながら、第１端末機１００と第２端末機２００とが予めペアリングされている状態である場合について説明する。図８ないし図１０は、第１端末機１００と第２端末機２００とが予めペアリングされている状態である場合のブルートゥース通信過程を示す図である。図８に示しように、第１端末機１００と第２端末機２００は、予めペアリングされている状態にある。
【００８９】
この場合、図９のように、第１端末機１００に動きが入力されると、第１端末機１００はブルートゥース送信端として機能するようになり、第２端末機２００はブルートゥース受信端として機能するようになる。従って、第１端末機１００は、ブルートゥース通信を通じて第２端末機２００にファイルを転送するようになる。
【００９０】
なお、図１０のように、第２端末機２００に動きが入力されると、第２端末機２００はブルートゥース送信端として機能するようになり、第１端末機１００はブルートゥース受信端として機能するようになる。従って、第２端末機２００は、ブルートゥース通信を通じて第１端末機１００にファイルを転送するようになる。
【００９１】
以下では、図１１を参照しながら、第１端末機１００の動作について詳細に説明する。図１１は、本発明の一実施形態に係る第１端末機１００のブルートゥース通信方法について説明するために提供されるフローチャートである。
【００９２】
図１１に示すように、第１端末機１００は一旦ブルートゥース待ち受けモードの状態に設定される（Ｓ５１０）。すると、第１端末機１００は、音声入力部と、音声出力部及びモーションセンサが活性化する（Ｓ５２０）。
【００９３】
その後に、第１端末機１００は、動きが入力されるか否かを判断する（Ｓ５３０）。仮に、動きが入力されると（Ｓ５３０−Ｙ）、第１端末機１００はファイルを送信する端末機に指定される（Ｓ５４０）。従って、第１端末機１００はブルートゥース送信端の役割を担うようになる。
【００９４】
第１端末機１００は、ブルートゥースペアリングの有無を判別する（Ｓ５５０）。仮に、ブルートゥースペアリングが行われていない状態である場合（Ｓ５５０−Ｎ）、第１端末機１００のブルートゥースアドレスをＤＴＭＦ信号に変換して出力する（Ｓ５５３）。そして、第１端末機１００は、第２端末機２００とブルートゥースペアリングを行うようになる（Ｓ５５６）。
【００９５】
一方、ブルートゥースペアリングが行われている状態の場合（Ｓ５５０−Ｙ）、第１端末機１００は転送するデータが指定されているか否かを判断する（Ｓ５６０）。仮に、転送するデータが指定されていない場合（Ｓ５６０−Ｎ）、第１端末機１００はユーザの選択によって転送するデータを指定する（Ｓ５６３）。そして、第１端末機１００は指定されたファイルを第２端末機２００に転送するようになる（Ｓ５７０）。
【００９６】
一方、動きが入力されていない状態の場合（Ｓ５３０−Ｎ）、第１端末機１００はファイルを受信する端末機に指定される（Ｓ５８０）。従って、第１端末機１００はブルートゥース受信端として機能するようになる。
【００９７】
この状態で、第１端末機１００がＤＴＭＦ信号を第２端末機２００から受信すると（Ｓ５８３）、第１端末機１００は受信されたＤＴＭＦ信号を解釈して第２端末機２００のブルートゥース端末機アドレスを抽出するようになる。そして、第１端末機１００は、第２端末機２００にブルートゥース接続を要求するようになる（Ｓ５８６）。
【００９８】
第１端末機１００は、ブルートゥースペアリング状態であるか否かを判断する（Ｓ５９０）。仮に、ブルートゥースペアリング状態でない場合（Ｓ５９０−Ｎ）、第１端末機１００は第２端末機２００とブルートゥースペアリングを行う（Ｓ５９３）。そして、第１端末機１００は、第２端末機２００からファイルを受信するようになる（Ｓ５９５）。
【００９９】
このように、第１端末機１００は動きが入力されているか否かに応じて、ブルートゥース送信端として動作するか、それとも、ブルートゥース受信端として動作するか否かが決定される。従って、ユーザは容易にブルートゥース通信を用いて端末機間でデータを送受信できるようになる。
【０１００】
一方、第１端末機１００が第２端末機２００とペアリング状態である場合（Ｓ５５０−Ｙ）、第１端末機１００は第２端末機２００と現在ペアリング状態であることを画面に表示することもできる。それにより、ユーザは第１端末機１００が現在どの端末機とペアリングされているか容易に把握できるようになる。
【０１０１】
なお、第１端末機１００は、第２端末機２００とペアリング状態である場合も、ＤＴＭＦ信号を出力するように実現されてよい。このように、第１端末機１００が第２端末機２００とペアリング状態の場合も、ＤＴＭＦ信号を出力すると、第１端末機１００は第２端末機２００とペアリング状態でもう一度ブルートゥース端末機アドレスを確認するようになるため、ブルートゥース接続設定のエラーを防止できるようになる。
【０１０２】
一方、第１端末機１００は、第２端末機２００が別の端末機とペアリングされている状態でない場合にのみ、データを転送するようになる。それに関し、図１２及び図１３を参照しながら説明する。図１２及び図１３は、本発明の一実施形態に係る第２端末機２００が第３端末機６００とペアリングされている状態である場合について示す図である。
【０１０３】
図１２に示すように、第２端末機２００は、第３端末機６００とペアリングされている状態である。従って、図１３に示すように、第１端末機１００に動きが入力されて第１端末機１００でＤＴＭＦ信号を出力するとしても、第２端末機２００はブルートゥース待ち受けモードの状態にあるとしても、ＤＴＭＦ信号に対する応用をしなくなる。
【０１０４】
従って、第２端末機２００が別の端末機とブルートゥースペアリングされている状態である場合、第１端末機１００は、第２端末機２００とブルートゥース通信を設定できなくなる。
【０１０５】
以下では、図１４ないし図１７を参照しながら、ブルートゥース待ち受けモードの実行方法とファイル転送の実行方法について説明する。図１４は、本発明の一実施形態に係るブルートゥース待ち受けモードの実行方法を示す図である。図１５ないし図１７は、ファイル転送実行のための動きに関して示す図である。
【０１０６】
図１４に示すように、ユーザは第１端末機１００と第２端末機２００との画面をロングタッチすることにより、ブルートゥース待ち受けモードを実行させることができる。
【０１０７】
そして、図１５に示すように、ユーザは第１端末機１００を傾ける動き操作を入力してファイルを第２端末機２００に転送することができる。なお、図１６のように、第１端末機１００を振る動き操作を入力してファイルを第２端末機２００に転送することもできる。そして、図１７のように、第１端末機１００を第２端末機２００に触れさせる動き操作を入力することにより、ファイルを第２端末機２００に転送することもできる。
【０１０８】
その他にも、ユーザは多様な方法により、ブルートゥース待ち受けモードを実行してファイル転送を実行できるようになる。
【０１０９】
以下では、図１８ないし図２２を参照しながら、第２端末機２００がファイルを受信した後の「今すぐ見る」機能に関して説明する。
【０１１０】
図１８及び図１９は、第２端末機２００から受信されたイメージファイルが「今すぐ見る」機能によって実行される過程に対する図である。図１８に示すように、第２端末機２００はイメージリスト画面が表示された状態で、イメージファイルが受信されると、図１９に示すように、受信されたイメージファイルを直ちに画面に表示するようになる。即ち、第２端末機２００は、現在実行中のアプリケーションが受信されたファイルを実行させることのできるアプリケーションである場合、受信されたファイルを直ちに実行させて画面に表示するようになる。
【０１１１】
このように、受信されたイメージファイルを直ちに画面に表示することにより、ユーザは受信されたファイルを別途の操作を行うことなく、直ちに確認することができるようになる。
【０１１２】
以下では、図２０ないし図２２を参照しながら、「今すぐ見る」機能の実行確認メッセージを表示する過程について説明する。図２０ないし図２２は、本発明の一実施形態に係る「今すぐ見る」機能の実行確認メッセージが画面に表示される過程を示す図である。
【０１１３】
図２０に示すように、第２端末機２００がＩｄｌｅ画面を表示した状態でファイルを受信すると、図２１に示すように、第２端末機２００の画面には「今すぐ見る」機能の実行確認メッセージ９００が画面には表示される。そして、ユーザが“ＹＥＳ”を選択した場合、図２２のように、第２端末機２００は受信されたイメージファイルを画面に表示するようになる。
【０１１４】
このように、ユーザは「今すぐ見る」機能を使用するか否かを「今すぐ見る」機能の実行確認メッセージ９００を用いて選択できるようになる。
【０１１５】
一方、第１端末機１００及び第２端末機２００は、音声信号を用いてブルートゥースペアリングを行うこともできる。このような過程を実行するための第１端末機１００及び第２端末機２００の各構成が担う機能について以下で説明する。
【０１１６】
第１端末機１００の音声出力部１２３は、ブルートゥース待ち受けモードの状態で動きが検知されると、音声信号を発信する。
【０１１７】
第１端末機１００の制御部１７０は、現在のモードをブルートゥース待ち受けモードに設定する。そして、制御部１７０は、ブルートゥース待ち受けモードの状態で動きが検知されると、音声信号を用いて第２端末機２００をブルートゥース通信相手の端末機として選択する。その後に、制御部１７０は、選択された第２端末機２００とブルートゥースペアリングが行われるように制御する。そして、制御部１７０は、第２端末機２００にブルートゥース通信を用いてデータが送信されるように制御する。
【０１１８】
具体的に、制御部１７０は、音声信号の発信時間が保存部１４０に保存されるように制御する。そして、制御部１７０は、第２端末機２００から音声信号に対する受信時間を受信する。その後に、制御部１７０は、音声信号の発信時間と第２端末機から受信された受信時間とが一致すると、第２端末機１７０をブルートゥース通信相手の端末機として選択する。
【０１１９】
なお、第１端末機１００の制御部１７０は、音声信号に対する情報である第１情報が保存部１４０に保存されるように制御することもできる。そして、制御部１７０は第２端末機２００が受信した音声信号に対する情報である第２情報を第２端末機２００から受信する。なお、制御部１７０は、音声信号の第１情報と第２端末機２００から受信された第２情報とが一致すると、第２端末機２００をブルートゥース通信相手の端末機として選択するようになる。ここで、音声信号に対する情報である第１情報及び第２情報は、音声信号を識別するための音声信号の特性を示す情報のことを意味する。例えば、第１情報及び第２情報は、音声信号の周波数情報、音声信号のパターン情報、音声信号の音色情報などを含んでよい。
【０１２０】
一方、第２端末機２００の音声入力部２２５は、第１端末機１００から発信された音声信号を受信する。
【０１２１】
そして、第２端末機２００の制御部２７０は、第１端末機１００から音声信号が受信されると、受信された音声信号を用いて第１端末機１００とブルートゥースペアリングを行う。そして、制御部２７０は、ブルートゥース通信を用いて第１端末機１００からファイルが受信されるように制御する。
【０１２２】
具体的に、制御部２７０は、第１端末機１００から音声信号が受信されると、音声信号の受信時間が保存部２４０に保存されるように制御する。そして、制御部２７０は保存された受信時間が第１端末機１００に転送されるように制御する。その後に、制御部２７０は受信時間に応じて、第１端末機とブルートゥースペアリングが行われるように制御するようになる。即ち、第１端末機１００の音声信号発信時間と第２端末機２００の音声信号受信時間とが一致すると、第１端末機１００は、第２端末機２００にペアリング要求を転送するようになる。すると、制御部２７０は、受信時間に応じて、第１端末機１００からペアリング要求を受信するようになり、ペアリング要求が受信されると、第１端末機１００とブルートゥースペアリングが行われるように制御するようになる。
【０１２３】
なお、制御部２７０は、第１端末機１００から音声信号が受信されると、音声信号の情報を分析し、分析された音声信号の情報が保存部２４０に保存されるように制御することもできる。ここで、音声信号の情報は音声信号を識別するための音声信号の特性を示す情報のことを意味する。例えば、音声信号の情報は音声信号の周波数情報、音声信号のパターン情報、音声信号の音色情報などを含んでよい。従って、制御部２７０は、受信された音声信号の周波数、パターン、音色などを分析し、分析された音声信号の周波数情報、音声信号のパターン情報、音声信号の音色情報などを保存部２４０に保存するようになる。
【０１２４】
そして、制御部２７０は保存された音声信号の情報が第１端末機１００に転送されるように制御する。その後に、制御部２７０は音声信号の情報に応じて、第１端末機１００とブルートゥースペアリングが行われるように制御する。即ち、第１端末機１００の音声信号情報である第１情報と、第２端末機２００の音声信号情報である第２情報とが一致すると、第１端末機１００は、第２端末機２００にペアリング要求を転送するようになる。すると、制御部２７０は、音声信号の情報に応じて、第１端末機１００からペアリング要求を受信するようになり、ペアリング要求が受信されると、第１端末機１００とブルートゥースペアリングが行われるように制御するようになる。
【０１２５】
このように、第１端松木１００及び第２端末機２００は、音声信号を用いてブルートゥースペアリングを行うこともできる。
【０１２６】
このような過程について、図２３ないし図３７を参照しながら以下で説明する。図２３は、本発明の一実施形態に係る音声信号の発信時間及び受信時間を用いてブルートゥースペアリングを行うブルートゥース通信方法を説明するために提供されるフローチャートである。
【０１２７】
第１端末機１００は、ユーザの選択により転送対象のファイルを選択する（Ｓ１０１０）。そして、ユーザの命令入力により、第１端末機１００はブルートゥース待ち受けモードの状態に設定される（Ｓ１０２０）。例えば、ユーザがブルートゥース待ち受けモードの状態切替ボタンを押すと、第１端末機１００は待ち受けモードに状態が切り替えられる。
【０１２８】
なお、第２端末機２００もユーザの命令入力によってブルートゥース待ち受けモードの状態に設定される（Ｓ１０２５）。このように、第１端末機１００と第２端末機２００は、いずれもブルートゥース待ち受けモードの状態の場合に、互いにブルートゥース通信を行うようになる。
【０１２９】
その後に、第１端末機１００は動きが検知されたか否かを判断する（Ｓ１０３０）。仮に、第１端末機１００で動きが検知されると（Ｓ１０３０−Ｙ）、第１端末機１００は特定音声信号を発信する（Ｓ１０４０）。そして、第１端末機１００は音声信号を発信した時間を保存する（Ｓ１０４５）。
【０１３０】
第２端末機２００は、音声信号を受信し（Ｓ１０５０）、音声信号を受信した時間を保存するようになる（Ｓ１０５２）。そして、第２端末機２００はブルートゥースアドレスに音声信号の受信時間をタグ付けする（Ｓ１０５４）。そして、第２端末機２００は音声信号の受信時間がタグ付けされたブルートゥースアドレスを第１端末機１００に転送する（Ｓ１０５６）。即ち、第２端末機２００は、音声信号の受信時間をブルートゥースアドレスにタグ付けすることにより、第１端末機１００に音声信号の受信時間を転送するようになる。
【０１３１】
すると、第１端末機１００は、第２端末機２００から音声信号の受信時間がタグ付けされたブルートゥースアドレスを受信する（Ｓ１０６０）。即ち、第１端末機１００は、音声信号の受信時間がタグ付けされたブルートゥースアドレスを受信することにより、第２端末機２００から音声信号の受信時間を受信するようになる。
【０１３２】
そして、第１端末機１００は音声信号の発信時間と第２端末機２００の音声信号の受信時間とが一致するか否かを判断する（Ｓ１０６５）。発信時間と受信時間とが一致しない場合（Ｓ１０６５−Ｎ）、第１端末機１００はステップＳ１０３０に戻ってやり直すこととなる。
【０１３３】
一方、発信時間と受信時間とが一致する場合（Ｓ１０６５−Ｙ）、第１端末機１００はペアリング要求を第２端末機２００に転送するようになる（Ｓ１０７０）。すると、第２端末機２００は、第１端末機１００からペアリング要求を受信する（Ｓ１０７５）。そして、第１端末機１００と第２端末機２００とは、互いにペアリングを行うようになる（Ｓ１０８０、Ｓ１０８５）。
【０１３４】
その後に、第１端末機１００は、転送対象のファイルを第２端末機２００にブルートゥース通信を通じて転送する（Ｓ１０９０）。そして、第２端末機２００は、第１端末機１００からファイルが転送され（Ｓ１０９５）、受信されたファイルを画面に表示するようになる（Ｓ１０９８）。
【０１３５】
このような過程を通じて、第１端末機１００は音声信号を用いて第２端末機２００とブルートゥースペアリングを行い、第２端末機２００にブルートゥース通信を通じてデータを転送できるようになる。
【０１３６】
図２４は、本発明の一実施形態に係る音声信号の情報を用いてブルートゥースペアリングを行うブルートゥース通信方法を説明するために提供されるフローチャートである。
【０１３７】
第１端末機１００は、ユーザの選択により転送対象のファイルを選択する（Ｓ１１１０）。そして、ユーザの命令入力により、第１端末機１００はブルートゥース待ち受けモードの状態に設定される（Ｓ１１２０）。例えば、ユーザがブルートゥース待ち受けモードの状態切替ボタンを押すと、第１端末機１００は待ち受けモードに状態が切り替えられる。
【０１３８】
なお、第２端末機２００もユーザの命令入力によってブルートゥース待ち受けモードの状態に設定される（Ｓ１１２５）。このように、第１端末機１００と第２端末機２００は、いずれもブルートゥース待ち受けモードの状態の場合に、互いにブルートゥース通信を行うようになる。
【０１３９】
その後に、第１端末機１００は動きが検知されたか否かを判断する（Ｓ１１３０）。仮に、第１端末機１００で動きが検知されると（Ｓ１１３０−Ｙ）、第１端末機１００は特定音声信号を発信する（Ｓ１１４０）。そして、第１端末機１００は音声信号に対する情報である第１情報を保存する（Ｓ１１４５）。音声信号に対する情報である第１情報は、音声信号を識別するための音声信号の特性を示す情報のことを意味する。例えば、第１情報は音声信号の周波数情報、音声信号のパターン情報、音声信号の音色情報などを含んでよい。
【０１４０】
第２端末機２００は、音声信号を受信し（Ｓ１１５０）、音声信号を分析した後に、分析された音声信号の情報である第２情報を保存するようになる（Ｓ１１５２）。ここで、音声信号の情報である第２情報は、音声信号を識別するための音声信号の特性を示す情報のことを意味する。例えば、第２情報は、音声信号の周波数情報、音声信号のパターン情報、音声信号の音色情報などを含んでよい。従って、第２端末機２００は、受信された音声信号の周波数、パターン、音色などを分析し、分析された音声信号の周波数情報、音声信号のパターン情報、音声信号の音色情報などを第２端末機２００に保存するようになる。
【０１４１】
そして、第２端末機２００はブルートゥースアドレスに音声信号の第２情報をタグ付けする（Ｓ１１５４）。そして、第２端末機２００は音声信号の第２情報がタグ付けされたブルートゥースアドレスを第１端末機１００に転送する（Ｓ１１５６）。即ち、第２端末機２００は、音声信号の第２情報をブルートゥースアドレスにタグ付けすることにより、第１端末機１００に音声信号の第２情報を転送するようになる。
【０１４２】
すると、第１端末機１００は、第２端末機２００から音声信号の第２情報がタグ付けされたブルートゥースアドレスを受信する（Ｓ１１６０）。即ち、第１端末機１００は、音声信号の第２情報がタグ付けされたブルートゥースアドレスを受信することにより、第２端末機２００から音声信号の第２情報を受信するようになる。
【０１４３】
そして、第１端末機１００は音声信号の第１情報と第２端末機２００で受信された第２情報とが一致するか否かを判断する（Ｓ１１６５）。第１情報と第２情報とが一致しない場合（Ｓ１１６５−Ｎ）、第１端末機１００はステップＳ１１３０に戻ってやり直すこととなる。
【０１４４】
一方、第１情報と第２情報とが一致する場合（Ｓ１１６５−Ｙ）、第１端末機１００はペアリング要求を第２端末機２００に転送するようになる（Ｓ１１７０）。すると、第２端末機２００は、第１端末機１００からペアリング要求を受信する（Ｓ１１７５）。そして、第１端末機１００と第２端末機２００とは、互いにペアリングを行うようになる（Ｓ１１８０、Ｓ１１８５）。
【０１４５】
その後に、第１端末機１００は、転送対象のファイルを第２端末機２００にブルートゥース通信を通じて転送する（Ｓ１１９０）。そして、第２端末機２００は、第１端末機１００からファイルが転送され（Ｓ１１９５）、受信されたファイルを画面に表示するようになる（Ｓ１１９８）。
【０１４６】
このような過程を通じて、第１端末機１００は音声信号を用いて第２端末機２００とブルートゥースペアリングを行い、第２端末機２００にブルートゥース通信を通じてデータを転送できるようになる。
【０１４７】
図２５ないし図２７は、本発明の一実施形態に係る音声信号を用いてブルートゥースペアリング及びファイル転送が行われる過程を示す簡略図である。
【０１４８】
図２５に示すように、第１端末機１００にはＩｍａｇｅ  １（１２００）が画面に表示されている状態である。即ち、第１端末機１００は、Ｉｍａｇｅ  １（１２００）を転送対象のファイルとして選択した状態であることを確認することができる。
【０１４９】
そして、第２端末機２００は横たわっている状態である。このように、第２端末機２００が横たわっている場合、第２端末機２００は特定ファイルをブルートゥース通信を通じて受信することを待ち受ける状態になる。
【０１５０】
図２６は、第１端末機１００と第２端末機２００とが音声信号を用いてブルートゥースペアリングを行っている状態を示す図である。図２６に示すように、第１端末機１００は第２端末機２００の画面の方を向くように傾いている形になっていることが確認できる。このように、第１端末機１００に動きが入力されると、第１端末機１００は音声信号を第２端末機２００に発信するようになる。すると、第２端末機２００は音声信号を受信し、第１端末機１００とブルートゥースペアリングするようになる。
【０１５１】
このような過程を通じてブルートゥースペアリングが行われると、第１端末機１００は第２端末機２００にＩｍａｇｅ  １（１２００）ファイルをブルートゥース通信を用いて転送するようになる。
【０１５２】
図２７は、Ｉｍａｇｅ  １（１２００）ファイルが第２端末機２００に転送完了している様子と示している。図２７に示すように、第２端末機２００は、第１端末機１００からＩｍａｇｅ  １（１２００）ファイルを受信した後に、受信されたＩｍａｇｅ  １（１２００）ファイルを画面に表示するようになる。
【０１５３】
このように、第１端末機１００と第２端末機２００は、音声信号を用いてブルートゥースペアリングを行い、ファイルを互いに転送できるようになる。なお、第１端末機１００を傾ける操作だけで、第１端末機１００は音声信号を用いてブルートゥースペアリングを行いファイルを転送できるようになる。それにより、ユーザは水を注ぎ込むような操作を通じて第１端末機１００のファイルを第２端末機２００に注ぎ込むような感じの操作をして、第１端末機１００から第２端末機２００にファイルを転送するため、ユーザは極めて直観的な方式でファイルを転送できるようになる。
【０１５４】
図２８ないし図３１は、本発明の一実施形態に係る音声信号を用いて待ち受け状態でブルートゥースペアリングが行われる過程を示す図である。
【０１５５】
図２８は、ユーザが第１端末機１００のブルートゥースアイコン１３１０を選択する様子を示す図である。そして、第２端末機２００にはブルートゥース待ち受けモードの状態であることを示すアイコン１３２０が画面の上段に表示されていることが確認できる。
【０１５６】
このように、第２端末機２００がブルートゥース待ち受けモードの状態で、ユーザが第１端末機のブルートゥースアイコン１３１０を選択すると、図２９に示すように、ブルートゥースペアリングガイドメッセージが第１端末機１００の画面に表示される。なお、図２９に示すように、第１端末機１００の画面の上段にブルートゥース待ち受けモード表示アイコン１３３０が表示される。なお、ブルートゥース待ち受けモード表示アイコン１３３０は音声信号が発信されることがアイコン形態で表示される。
【０１５７】
この状態で、ユーザが図２６に示すように、第１端末機１００を第２端末機２００の画面の方に傾けるモーション操作を入力すると、第１端末機１００と第２端末機２００とは、音声信号を互いに送受信した後に、図３０に示すように、ブルートゥースペアリング過程を行うようになる。
【０１５８】
図３０に示すように、第１端末機１００はブルートゥースペアリングを要求するメッセージ１３４０を画面に表示し、第２端末機２００はブルートゥースペアリング要求を受信したというメッセージ１３４５を画面に表示するようになる。
【０１５９】
このようなブルートゥースペアリングステップが行われると、図３１に示すように、第１端末機１００と第２端末機２００は互いに接続されたということを確認するメッセージ１３５０、１３６０を画面に表示するようになる。
【０１６０】
このように、待ち受け状態で第１端末機１００と第２端末機２００とは、互いに音声信号を用いてペアリング過程を行うこともできる。
【０１６１】
図３２ないし図３７は、本発明の一実施形態に係る音声信号を用いてブルートゥースペアリング及びファイル転送が行われる過程を示す図である。
【０１６２】
図３２は、第１端末機１００の画面に写真ファイル１４００が表示されている様子を示している。即ち、第１端末機１００は転送対象のファイルとして写真ファイル１４００を選択した様子を示している。そして、第２端末機２００にはブルートゥース待ち受けモードの状態であることを示すアイコン１４１０が画面の上段に表示されていることが確認できる。
【０１６３】
このように、第２端末機２００がブルートゥース待ち受けモードの状態で、図２９に示すように、ブルートゥースペアリングガイドメッセージ１４３０が第１端末機１００の画面に表示される。なお、図２９に示すように、第１端末機１００の画面の上段にブルートゥース待ち受けモード表示アイコン１４２０が表示される。なお、ブルートゥース待ち受けモード表示アイコン１４２０は音声信号が発信されることがアイコン形態で表示される。
【０１６４】
この状態で、ユーザが図２６に示すように、第１端末機１００を第２端末機２００の画面の方に傾けるモーション操作を入力すると、第１端末機１００と第２端末機２００とは、音声信号を互いに送受信した後に、図３４に示すように、ブルートゥースペアリング過程を行うようになる。
【０１６５】
図３４に示すように、第１端末機１００はブルートゥースペアリングを要求するメッセージ１４４０を画面に表示し、第２端末機２００はブルートゥースペアリング要求を受信したというメッセージ１４５０を画面に表示するようになる。
【０１６６】
このようなブルートゥースペアリングステップが行われると、図３５に示すように、第１端末機１００と第２端末機２００は互いに接続されたということを確認するメッセージ１４６０、１４７０とブルートゥース接続確認アイコン１４６５、１４７５を画面に表示するようになる。
【０１６７】
そして、図３６に示すように、第１端末機１００は第２端末機２００に写真ファイル１４００を転送するようになる。このとき、第１端末機１００はファイル転送ウィンドウ１４８０を画面に表示し、第２端末機２００はファイル受信ウィンドウ１４８５を画面に表示するようになる。
【０１６８】
ファイルの転送が完了すると、図３７に示すように、第１端末機１００は転送完了メッセージ１４９０を画面に表示し、第２端末機２００は転送されたファイルを確認するか否かに対する確認メッセージ１４９５を画面に表示するようになる。
【０１６９】
このような過程を通じて、第１端末機１００と第２端末機２００とは、互いに音声信号を用いてペアリング過程を行い、特定ファイルを転送できるようになる。
【０１７０】
本実施形態においては、第１端末機１００はブルートゥース送信端機能を担い、第２端末機２００はブルートゥース受信端機能を担うものとして説明したが、それは説明の便宜上のものであり、第１端末機１００及び第２端末機２００は、それぞれ送受信機能をすべて担ってよい。
【０１７１】
例えば、第１端末機１００はブルートゥース待ち受けモードの状態で動きが検知されると、第２端末機２００からブルートゥース通信を通じてデータを受信するブルートゥース受信端として機能するように実現されてよい。この場合、動きが検知されていない第２端末機２００はデータを送信するブルートゥース送信端として機能するようになる。
【０１７２】
なお、本実施形態において述べた第１端末機１００及び第２端末機２００の例としては、移動通信端末機、移動電話機、パーソナルデジタル端末機（ＰＤＡ：Ｐｅｒｓｏｎａｌ  Ｄｉｇｉｔａｌ  Ａｓｓｉｓｔａｎｔ）、スマートフォン（Ｓｍａｒｔ  Ｐｈｏｎｅ）、デジタルマルチメディア放送（ＤＭＢ：Ｄｉｇｉｔａｌ  Ｍｕｌｔｉｍｅｄｉａ  Ｂｒｏａｄｃａｓｔｉｎｇ）フォンなどのように、ブルートゥース機能が搭載されたすべての装置に適用されてよい。
【０１７３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１７４】
１１０  ブルートゥース通信部
１２０  オーディオ処理部
１２３  音声入力部
１２５  音声出力部
１３０  ディスプレイ部
１４０  保存部
１５０  モーションセンサ
１７０  制御部
１６０  キー入力部
２２３  音声出力部
２２５  音声入力部
２２０  オーディオ処理部
２１０  ブルートゥース通信部
２３０  ディスプレイ部
２７０  制御部
２６０  キー入力部
２４０  保存部
２５０  モーションセンサ
【図１】
0005886744.tif 000002
【図２】
0005886744.tif 000003
【図３】
0005886744.tif 000004
【図４】
0005886744.tif 000005
【図６】
0005886744.tif 000006
【図７】
0005886744.tif 000007
【図１１】
0005886744.tif 000008
【図１４】
0005886744.tif 000009
【図１５】
0005886744.tif 000010
【図１６】
0005886744.tif 000011
【図１７】
0005886744.tif 000012
【図１８】
0005886744.tif 000013
【図１９】
0005886744.tif 000014
【図２０】
0005886744.tif 000015
【図２１】
0005886744.tif 000016
【図２２】
0005886744.tif 000017
【図２３】
0005886744.tif 000018
【図２４】
0005886744.tif 000019
【図２５】
0005886744.tif 000020
【図２６】
0005886744.tif 000021
【図２７】
0005886744.tif 000022
【図２９】
0005886744.tif 000023
【図３０】
0005886744.tif 000024
【図３１】
0005886744.tif 000025
【図３３】
0005886744.tif 000026
【図３４】
0005886744.tif 000027
【図３５】
0005886744.tif 000028
【図３６】
0005886744.tif 000029
【図３７】
0005886744.tif 000030
【図５】
0005886744.tif 000031
【図８】
0005886744.tif 000032
【図９】
0005886744.tif 000033
【図１０】
0005886744.tif 000034
【図１２】
0005886744.tif 000035
【図１３】
0005886744.tif 000036
【図２８】
0005886744.tif 000037
【図３２】
0005886744.tif 000038